(57)【要約】  締め固められた土壌を解す為のデバイス及び方法であって、弾性的に圧縮可能な材料で構成された複数の管状のデバイスを有し、複数のデバイスは、中空のハブを有し、ハブは、ハブから延び、径方向及び周囲に湾曲する刃列を有し、複数のデバイスは、季節的に膨張及び収縮する時に土壌の解しをもたらし、土壌に十分に空気を入れるべく、順番に土壌を解すデバイスの圧縮及び後の展開をもたらす様に、土壌のアレイに配置される。【選択図】図５
2021510537.tif 000002
【特許請求の範囲】
【請求項１】
大地土壌を解すデバイスであって、
細長い管状のハブを含み、
前記ハブは、前記ハブの全周に亘って前記ハブの外周に間隔を空けて配置された刃列を有し、
前記刃列の各刃は、前記ハブに取り付けられた内端を有し、前記ハブの長さに沿って延び、前記ハブの外周から径方向外方に突出し、
前記各刃は、前記刃列の隣接する刃の外側部分に向けて同一方向に周囲で連続的に湾曲する外側部分を有し、
前記各刃は、前記デバイスが前記大地土壌に埋められた時に、前記各刃に及ぼされた大地土圧の季節的な増加によって、前記各刃の前記外側部分を弾性的に径方向内方に反らせ、前記各刃の前記外側部分を径方向内方に移動させた後、前記大地土圧の減少時に前記各刃の前記外側部分を径方向外方に移動させる様に、弾性的に屈曲可能な材料で形成される
事を特徴とするデバイス。
【請求項２】
前記ハブは、前記大地土圧の増加によって前記ハブの外周を定義する前記ハブの管状壁をも弾性的に径方向内方に移動させる事を可能にする、前記ハブの前記管状壁を貫通して延びる長手方向スロットを有する
請求項１に記載のデバイス。
【請求項３】
前記弾性的に屈曲可能な材料は、ポリエチレンプラスチックを含む
請求項１に記載のデバイス。
【請求項４】
前記デバイスの上端に前記デバイスの前記ハブ及び前記各刃を閉じるキャップが設置される
請求項１に記載のデバイス。
【請求項５】
前記各刃は、前記ハブの前記管状壁よりも薄い
請求項２に記載のデバイス。
【請求項６】
前記デバイスは、長さが約４３ｃｍである
請求項１に記載のデバイス。
【請求項７】
前記刃列は、合計で１８枚の刃を有する
請求項１に記載のデバイス。
【請求項８】
締め固められた大地土壌を解す方法であって、
解されるべき大地土壌に形成された垂直に延びる孔のアレイを形成し、前記デバイスの夫々を前記孔の夫々に挿入した後、前記デバイスの上端の夫々を完全に覆う事によって、請求項１に記載のデバイスの複数を、前記解されるべき大地土壌内に設置する手順を含む
事を特徴とする方法。
【請求項９】
前記アレイは、並んで配置された前記デバイスを有するグリッド形状である
請求項８に記載の方法。
【請求項１０】
前記デバイスは、約５１ｃｍの間隔を空けて配置される
請求項８に記載の方法。
【請求項１１】
前記デバイスは、長さが約４３ｃｍである
請求項８に記載の方法。
【請求項１２】
前記デバイスに合計で１８枚の刃を有する刃列を提供する
請求項８に記載の方法。
【請求項１３】
前記デバイスの上端にキャップを被せる
請求項８に記載の方法。
【請求項１４】
前記各刃の前記外側部分は、前記刃列の前記隣接する刃の内端を超えて周囲に延びる
請求項１に記載のデバイス。
【発明の詳細な説明】
【関連出願の相互参照】
【０００１】
本願は、２０１８年１月８日に出願された米国仮特許出願第６２／６１４，５３１号の利益を主張する。
【技術分野】
【０００２】
本発明は、土壌に空気を浸透させる土壌解しに関する。
【背景技術】
【０００３】
土壌は、時には、土壌に空気を効果的に浸透させる事が出来ない相当な深い箇所に締め固められる。
【発明の概要】
【発明が解決しようとする課題】
【０００４】
より深くの土壌を解す為に、道具又は鋤の使用による相当な深さの土壌への作業は実践的ではない。また、その様な土壌への作業は、土壌で成長する植物根を害する事になる。
【０００５】
本発明は、土壌作業器具又は鋤の使用を必要とせず、遂行に相当な労力も必要としない、土壌を解す為のデバイス及び方法を提供する事を目的とする。
【課題を解決するための手段】
【０００６】
前述の目的及び当業者によって理解される他の目的は、土壌に幾つかの細長く全般的に管状のデバイスを導入する事によって達成され、各デバイスは、掘削されるか又は他の方法で大地内に形成された孔に導入され、隣接するデバイスは、好ましくは、アレイで約２０インチの間隔を空けて配置されている。
【０００７】
デバイスは、径が、好ましくは、約３／４インチと比較的小さい。
【０００８】
デバイスは、それが長持ちするので、ポリエチレンプラスチックで構成され、土壌と常に接している時にさえ、長年に亘って弾性的に圧縮可能なままである。
【０００９】
各デバイスは、周囲に間隔を空けて配置された薄く湾曲された刃を有し、全ての湾曲は、同一の周方向にあり、中空管状ハブ全体から径方向に突出する。
【００１０】
好ましくは、１８枚の刃が各デバイスに含まれ、これがデバイスによってもたらされた基本的な大地解し効果を向上させる事が分かった。
【００１１】
刃の配列に於ける隙間は、刃の１つを省く事によって形成され、貫通放射状スロットは、隙間内に配置されたハブに形成され、その長さに沿って延びる。
【００１２】
好ましくは、残りの隣接する刃は、均等に間隔を空けて配置される。
【００１３】
季節間の異なる含水量によって、季節の経過によって大地の土壌が自然に膨張及び収縮する事が分かっており、この現象は、本発明によって土壌を解す為の土台とされる。土壌状態の季節的な変動は、土壌によって定期的に押圧されるデバイスの刃及びハブをもたらし、刃の端を相互に向けて径方向内側及び周囲に反らし、土圧が減少する時に再び展開させ、土壌を解す。また、スロットの存在によってハブを限られた範囲で径方向に押圧する事が出来るので、ハブのスロットは、その上に及ぼされた土壌の上昇圧力によって刃のより大きな内側への歪みを可能にする。
【００１４】
デバイスが土壌によってその上に及ぼされた上昇圧力によって弾性的に押圧されるので、湾曲された刃の外側部分は、デバイスに作用する土圧が土壌状態の季節的な変化により減少する時に、径方向外側及び周囲に相互から離れて展開される。
【００１５】
デバイスがアレイ、好ましくは、アレイでデバイスの交差を形成するグリッドパターンで配置されるので、デバイスは、様々な方向で生じ、土壌移動の異なる度合いを引き起こす、デバイスのアレイの湾曲された刃及びハブの再展開時に、異なる方向の土壌に相互に夫々作用する。アレイの隣接するデバイスの展開の純粋な効果は、アレイ内で土壌の解しを効果的に引き起こす事である。
【図面の簡単な説明】
【００１６】
【図１】地表よりも下に位置する相当な深さの土壌の断面図であり、土壌に形成された各々の孔内に導入された本発明による複数のデバイスを有する。
【図２】本発明による土壌解しデバイスのアレイの概略平面図であり、アレイのデバイスによってもたらされる動きの土壌解し移動の方向が破線で表される。
【図３】本発明によるデバイスの上からの詳細断片透視図である。
【図３Ａ】本発明によるデバイスの下からの詳細断片透視図であり、その下端を示す。
【図４】本発明によるデバイスの詳細断片側面図である。
【図５】押圧されていない状態の図３、３Ａ及び４に示されたデバイスの詳細下端図である。
【図５Ａ】押圧された状態の本発明によるデバイスの詳細下端図である。
【発明を実施するための形態】
【００１７】
以下の詳細な説明では、ある特定の用語は、明確性及び米国特許法第１１２条の規定に従って説明された特定の実施の形態の為に使用されるが、本発明は、添付された請求の範囲内で様々な形態及び変更を採る事が出来るので、同一のものに限定する様には意図されず、その様に解釈されるべきでない事が理解される。
【００１８】
図面、特に、図１を参照すると、本発明による一続きの細長く全般的に管状のデバイス１０が示され、各デバイス１０は、掘削されるか又は他の方法で土壌に形成された各垂直な孔に挿入される。
【００１９】
デバイスが導入される高さの土壌は、堅く締め固め続けられたデバイス１０の下部の高さより下の土壌と比較すると、デバイス１０の使用により解された状態として表される。
【００２０】
デバイス１０は、比較的小さい径（即ち、径が約３／４インチ）で、好ましくは、短い長さ（即ち、長さが約１７インチ）であり、図２に示されたグリッドアレイに約２０インチの間隔を空けて配置される。
【００２１】
デバイス１０は、内側管状ハブ１２を有し、同様に湾曲された一続きの刃１４がそれから径方向に延びる。刃１４は、図５Ａに示された様に、それらが弾性的に押圧される事を可能にする厚さ及び堅さであり、好ましくは、ハブ１２と一体的に形成され、土圧が減少する時に土壌を解す様に作用する。０．０４０インチの厚さ及び約０．４２０インチの径方向長さが問題無く使用される。刃１４は、同一方向で漸増的に周囲に、及びその外端で漸減的に放射状に漸進的に延在される様に湾曲される。デバイス１０は、弾性的に圧縮可能で長期に亘って土壌に埋められる事に耐える事が出来ると共に土圧が十分に減少する時に常に展開する事が出来るポリエチレンプラスチックの様な、成型された丈夫なプラスチック材料で構成される。
【００２２】
各デバイス１０の上端には、好ましくは、デバイス１０の他の部分と共に一体的に形成され、刃１４の間の土壌詰まりを防ぐ様に上端を閉じるキャップ１６が提供される。
【００２３】
ハブ１２の壁は、刃１４よりも厚いが、デバイス１０の全ての弾性的な圧縮を増加させるべく、ハブ１２の放射状の圧縮を可能にする為に、ハブ１２の壁を完全に貫通して延びる長手方向延在径方向スロット１８を有する。
【００２４】
以上に示された様に、湾曲された刃１４は、同一方向で径方向及び周囲に延びる。好ましくは、図５及び５Ａで最も良く視認する事が出来る様に、刃１４が存在しないスロット１８の位置を除き、連続する刃１４の間に等しい間隔が存在する。
【００２５】
図５は、周囲土壌が減少された押圧状態にある時に想定される弛緩状態のデバイス１０のより拡大された底面図を描写する。
【００２６】
図５Ａは、周囲土壌が季節的に押圧された状態である時に生じる押圧された状態のデバイス１０を示す。
【００２７】
湾曲された刃１４は、示された様に、径方向及び周方向の両方に結果的に押圧される。スロット１８が図５Ａに示された様なスロット１８の何れかの側でハブ１２の壁の周移動を相互に可能にするので、ハブ１２も押圧される。
【００２８】
土圧が減少する時に、デバイス１０は、再び径方向外方に移動すると共に周囲に収縮する刃１４によって展開され、ハブ１２も、図５で視認する事が出来る様なスロット１８により僅かに膨張する。
【００２９】
空気が土壌に浸透する事を可能にすべく、周囲土壌を十分に解す為に、刃１４及びハブ１２のこの展開は周囲土壌に作用する。
【００３０】
図２への言及によってより良く理解された様に、グリッドアレイに配置されたデバイス１０の結果、各デバイス１０によって異なる方向で土壌の様々な展開を引き起こす。この効果は、土壌の締め固めが土壌に空気を入れる事を可能にする大気を減少させる季節中に続く土壌解しを引き起こす。
【図１】
2021510537.tif 000003
【図２】
2021510537.tif 000004
【図３】
2021510537.tif 000005
【図３Ａ】
2021510537.tif 000006
【図４】
2021510537.tif 000007
【図５】
2021510537.tif 000008
【図５Ａ】
2021510537.tif 000009
【国際調査報告】
2021510537.tif 000010
2021510537.tif 000011